【手続補正書】
【提出日】平成25年9月4日(2013.9.4)
【手続補正１】
【補正対象書類名】特許請求の範囲
【補正対象項目名】全文
【補正方法】変更
【補正の内容】
【特許請求の範囲】
【請求項１】
複数のレンズ群を有し、
前記複数のレンズ群は、
物体側から順に、
負の第１レンズ群と、
正の第２レンズ群と、
負の第３レンズ群と、
正の第４レンズ群とからなり、
変倍時には前記各レンズ群の空気間隔が可変であり、
前記第１レンズ群は正レンズを１つ含み、
前記第２レンズ群は負レンズを１つ含み、
前記第３レンズ群は１又は２つのレンズ成分からなり、
前記第４レンズ群は１つのレンズ成分からなり、
以下の条件式（１）を満足することを特徴とする結像光学系。
０＜Ｍ3／Ｍ2＜０．５５      ・・・（１）
ここで、
Ｍ2は、広角端から望遠端にかけての無限遠物点合焦時における前記第２レンズ群の移動量、
Ｍ3は、広角端から望遠端にかけての無限遠物点合焦時における前記第３レンズ群の移動量であり、
レンズ成分とは、単レンズもしくは接合レンズをいう。
【請求項２】
前記第２レンズ群に関し、以下の条件式（４）を満足することを特徴とする請求項１に記載の結像光学系。
−０．８＜β2w＜−０．４０７      ・・・（４）
ここで、β2wは広角端における無限遠物点合焦時の前記第２レンズ群の合成倍率である。
【請求項３】
前記第２レンズ群から前記第４レンズ群に関し、以下の条件式（３）を満足することを特徴とする請求項１又は請求項２に記載の結像光学系。
−０．９＜β234w＜−０．４      ・・・（３）
ここで、β234wは広角端における無限遠物点合焦時の前記第２レンズ群から前記第４レンズ群までの合成倍率である。
【請求項４】
前記第４レンズ群は、変倍時に移動しないことを特徴とする請求項１から請求項３のいずれか１項に記載の結像光学系。
【請求項５】
請求項１から請求項４のいずれか一項に記載の結像光学系と、
電子撮像素子と、前記結像光学系を通じて結像した像を前記電子撮像素子で撮像することによって得られた画像データを加工して像の形状を変化させた画像データとして出力する画像処理手段とを有し、
前記結像光学系が、無限遠物点合焦時に次の条件式（Ａ）を満足することを特徴とする電子撮像装置。
０．７＜ｙ07／（ｆｗ・ｔａｎω07w）＜０．９７      …（Ａ）
但し、ｙ07は前記電子撮像素子の有効撮像面内（撮像可能な面内）で中心から最も遠い点までの距離（最大像高）をｙ10としたときｙ07＝０．７・ｙ10として表される。また、ω07wは広角端における前記撮像面上の中心からｙ07の位置に結ぶ像点に対応する物点方向の光軸に対する角度、ｆｗは広角端における前記結像光学系の全系の焦点距離である。
【手続補正２】
【補正対象書類名】明細書
【補正対象項目名】００１２
【補正方法】変更
【補正の内容】
【００１２】
上述した課題を解決し、目的を達成するために、本発明にしたがう結像光学系は、
複数のレンズ群を有し、
前記複数のレンズ群は、
物体側から順に、
負の第１レンズ群と、
正の第２レンズ群と、
負の第３レンズ群と、
正の第４レンズ群とからなり、
変倍時には前記各レンズ群の空気間隔が可変であり、
前記第１レンズ群は正レンズを１つ含み、
前記第２レンズ群は負レンズを１つ含み、
前記第３レンズ群は１又は２つのレンズ成分からなり、
前記第４レンズ群は１つのレンズ成分からなり、
以下の条件式（１）を満足することを特徴とする。
０＜Ｍ3／Ｍ2＜０．５５      ・・・（１）
ここで、
Ｍ2は、広角端から望遠端にかけての無限遠物点合焦時における前記第２レンズ群の移動量、
Ｍ3は、広角端から望遠端にかけての無限遠物点合焦時における前記第３レンズ群の移動量であり、
レンズ成分とは、単レンズもしくは接合レンズをいう。
【手続補正３】
【補正対象書類名】明細書
【補正対象項目名】００１７
【補正方法】変更
【補正の内容】
【００１７】
本実施形態のズームレンズは、複数のレンズ群を有し、複数のレンズ群は、物体側から順に、負のレンズ群Ｇ１と、正のレンズ群Ｇ２と、負のレンズ群Ｇ３と、正のレンズ群Ｇ４とからなり、
変倍時には各レンズ群の空気間隔が可変であり、
第１レンズ群となる負のレンズ群Ｇ１は正レンズを１つ含み、
第２レンズ群となる正のレンズ群Ｇ２は負レンズを１つ含み、
第３レンズ群となる負のレンズ群Ｇ３は１又は２つのレンズ成分からなり、
第４レンズ群となる正のレンズ群Ｇ４は１つのレンズ成分からなっている。
【手続補正４】
【補正対象書類名】明細書
【補正対象項目名】００５５
【補正方法】変更
【補正の内容】
【００５５】
また、第２レンズ群は負レンズを１つのみ有し、その直前の正レンズとの光軸上の空気間隔ｄ2pnが以下の条件を満足するのが好ましい。
０≦ｄ2pn ／ｆw＜１      ・・・（１２）
【手続補正５】
【補正対象書類名】明細書
【補正対象項目名】００５７
【補正方法】変更
【補正の内容】
【００５７】
なお、条件式（１２）に代えて、次の条件式（１２’）を満足すると、より好ましい。
０≦ｄ2pn ／ｆw＜０．８      ・・・（１２’）
さらに、条件式（１２）に代えて、次の条件式（１２”）を満足すると、より一層好ましい。
０≦ｄ2pn ／ｆw＜０．２      ・・・（１２”）
【手続補正６】
【補正対象書類名】明細書
【補正対象項目名】０１６０
【補正方法】変更
【補正の内容】
【０１６０】
各実施例における条件式の値を以下に掲げる。
実施例1     実施例2     実施例3     実施例4
ｆw(広角端)                     14.47       14.28       14          14.28
ｆt(望遠端)                     41.64       41.13       40.32       41.13
半画角ωw(広角端)              -41.53      -41.89      -42.45      -41.9
半画角ωt(望遠端)              -14.71      -14.89      -15.17      -14.89
(1)Ｍ3/Ｍ2                          0.3         0.33        0.42        0.51
(2)ｆ4/|ｆ3|                        1.15        0.89        1.22        1.16
(3)β234w                          -0.62       -0.56       -0.61       -0.65
(4)β2w                            -0.52       -0.52       -0.49       -0.53
(5)ｆw/ｆ2                          0.79        0.74        0.83        0.82
(6)SF111-SF112                      1.5         1.74        1.18        2.08
(7)Ｒ12F/Ｒ112R                     0.69        0.69        0.68        0.45
(8)ｄ12/ｆw                         0.02        0.021       0.021       0.021
(9)(Ｒ11F＋Ｒ11R)/(Ｒ11F−Ｒ11R)      -           -           -           -
(10)(Ｒ12F＋Ｒ12R)/(Ｒ12F−Ｒ12R)     -           -           -           -
(11)ｄ12/ｆw                          -           -           -           -
(12)ｄ2pn/ｆw                       0 0           0           0.021
(13)(Ｒ322F＋Ｒ322R)/(Ｒ322F−Ｒ322R)
1.07        1.07        1.44          -
(14)Ｒ22R/Ｒ21F                     0.72        0.77        0.78          -
(16)(Ｒ222F＋Ｒ222R)/(Ｒ222F−Ｒ222R)
-           -           -         3.8
(17)(Ｒ3F＋Ｒ3R)/(Ｒ3F−Ｒ3R)       1.92        1.48        1.15        0.93
(18)(Ｒ31R＋Ｒ32F)/(Ｒ31R−Ｒ32F)  -0.2           -           -           -
(19)ｎ4−ｎ31                       0          -0.00909    -0.00909    -0.21778
(20)ｆw/ｆ4                         0.34        0.35        0.37        0.35
(21)(Ｒ4F＋Ｒ4R)/(Ｒ4F−Ｒ4R)       0.74        0.95        0.65        1.31
(22)ｆb/ｆw                         1.22        1.24        1.26        1.24
実施例5     実施例6     実施例7 
ｆw(広角端)                                 15          14.4        14.28
ｆt(望遠端)                                 43.2        41.47       41.13
半画角ωw(広角端)                          -39.99      -41.7       -41.9
半画角ωt(望遠端)                          -14.35      -14.77      -14.89
(1)Ｍ3/Ｍ2                                      0.46        0.29        0.52
(2)ｆ4/|ｆ3|                                    0.77        1.08        1.12
(3)β234w                                      -0.53       -0.49       -0.58
(4)β2w                                        -0.52       -0.41       -0.49
(5)ｆw/ｆ2                                      0.72        0.77        0.79
(6)SF111-SF112                                    -           -         1.75
(7)Ｒ12F/Ｒ112R                                   -           -         0.64
(8)ｄ12/ｆw                                       -           -         0.021
(9)(Ｒ11F＋Ｒ11R)/(Ｒ11F−Ｒ11R)                1.02        0.66          -
(10)(Ｒ12F＋Ｒ12R)/(Ｒ12F−Ｒ12R)              -2.99       -3.14          -
(11)ｄ12/ｆw                                    0.29        0.17          -
(12)ｄ2pn/ｆw                                   0           0.007       0
(13)(Ｒ322F＋Ｒ322R)/(Ｒ322F−Ｒ322R)           1.18          -         0.43
(14)Ｒ22R/Ｒ21F                                 0.75          -         0.79
(16)(Ｒ222F＋Ｒ222R)/(Ｒ222F−Ｒ222R)             -         3.63          -
(17)(Ｒ3F＋Ｒ3R)/(Ｒ3F−Ｒ3R)                   1.22        1.22        1.18
(18)(Ｒ31R＋Ｒ32F)/(Ｒ31R−Ｒ32F)                 -           -           -
(19)ｎ4−ｎ31                                  -0.00909    -0.20374    -0.00909
(20)ｆw/ｆ4                                     0.34        0.41        0.36
(21)(Ｒ4F＋Ｒ4R)/(Ｒ4F−Ｒ4R)                   0.68        1.38        0.74
(22)ｆb/ｆw                                     1.18        1.33        1.24